(57)【特許請求の範囲】
【請求項１】
把手本体の一側上面にキー用凹所を形成し、該キー用凹所の上端部に左右一対の支軸を介して観音開き式の左右扉を設け、この左右扉は、鍵の不使用時、把手本体の一端部にその基端部が支持軸を介して回転自在に設けられたキー本体のキーブレードを前記該キー用凹所に収納した状態で閉じ、一方、鍵の使用時、前記把手本体に設けた起動手段を介して前記キーブレードが浮き上がるのに追動してトリガー片が弾性部材の弾性力により位置変位し、該トリガー片に形成したロック部分が前記左右扉に形成した係合部分から外れると、前記左右扉は、前記支軸に設けた扉バネのバネ力により開放し、前記キーブレードは前記キー用凹所から出ていくことを特徴とするコンパクト型携帯型鍵。
【請求項２】
請求項１に於いて、弾性部材は、基端部が把手本体に固定され、一方、その自由端部は把手本体に設けた案内部分に案内されるトリガー片の下端部に係合し、把手本体のキー用凹所にキーブレードを収納した初期位置では、左右扉を閉鎖状態にロックしているトリガー片を、ロックを解く方向に常時付勢していることを特徴とするコンパクト型携帯型鍵。
【請求項３】
請求項１に於いて、トリガー片の下端部には、弾性部材の自由端部が係合する窓状係合部が形成され、この窓状係合部を形成する上端係止縁と下端係止縁に前記自由端部が選択的に係脱することを特徴とするコンパクト型携帯型鍵。
【請求項４】
請求項１に於いて、左右扉の閉鎖時、トリガー片の上端部は、キーブレードの先端部に押し付けられる受け部分としての機能と、左右扉の爪状係合部分と係合するロック部分としての機能を有することを特徴とするコンパクト型携帯型鍵。
【請求項５】
請求項１に於いて、弾性部材は板バネであり、この板バネの自由端部は、左右扉が所要量開放したとき、蓋体の底壁の背面に当接可能であることを特徴とするコンパクト型携帯型鍵。
【請求項６】
請求項１に於いて、把手本体の一端部には、キー本体の基端部を所定角度まで起こすための操作ボタンを含む起動手段が設けられていることを特徴とするコンパクト型携帯型鍵。
【請求項７】
請求項６に於いて、把手本体の一端部には、キーブレードを使用位置へと回転させるスイング助勢機構が設けられ、該スイング助勢機構は、駆動バネと、該駆動バネに付勢されかつ凹凸のカム面を有する可動カムと、その固定側凹凸のカム面が前記可動カムの凹凸のカム面にかみ合う固定カムとを備え、これらの各部材は、軸方向に一連に組み込まれていることを特徴とするコンパクト型携帯型鍵。
【発明の詳細な説明】
【技術分野】
【０００１】
本発明は、建物の扉、家具、自動車等の錠前の施・解錠に使用することができるコンパクト型携帯型鍵に関する。
【背景技術】
【０００２】
特許文献１はカギを携帯用のカード型キーケースに差し込むものである。また特許文献２は、折り畳みキーケースに縦長凹所を形成し、該縦長凹所に普通一般に使用されているカギを収納するものである。
【０００３】
これらの公知発明は、カード型キーケース或いは本体と蓋体とから成る折り畳みキーケースに普通一般のカギを収納することができるから、鍵の不使用時、キーブレードが外部に存在する固形物に物理的に接触して傷が付く恐れが全くない。またキー用凹所に異物が入り込まないという利点があるものの、普通一般のカギは日常的に頻繁に使用されるものであるから、キーケースから取り出すと、カギを使用の都度キーケースに入れなければならない、カギをキーケースではなく、ポケットや袋物に入れてしまうと、発明の所期の目的を達成することができない、ＩＣ、電子基板等を内蔵することができない等の問題点があった。そこで、前記問題点をコンパクト型携帯鍵によって解消することが求められている。
【先行技術文献】
【特許文献】
【０００４】
【特許文献１】実開昭６４−１０２２０号公報
【特許文献２】特開平８−１８２５２８号公報
【発明の概要】
【発明が解決しようとする課題】
【０００５】
本願発明の所期の目的は、コンパクト型携帯鍵によって、鍵の不使用時、キーブレードが外部に存在する固形物に物理的に接触して傷が付く恐れが全くないことである。またキー用凹所に異物が入り込まないことである。第２の目的は、把手本体に対して、キーブレードの出し入れが容易であることである。第３の目的は、部品点数を少なくすること、左右扉が必要以上に開放しないこと等である。
【課題を解決するための手段】
【０００６】
本発明のコンパクト型携帯型鍵は、把手本体の一側上面にキー用凹所を形成し、該キー用凹所の上端部に左右一対の支軸を介して観音開き式の左右扉を設け、この左右扉は、鍵の不使用時、把手本体の一端部にその基端部が支持軸を介して回転自在に設けられたキー本体のキーブレードを前記該キー用凹所に収納した状態で閉じ、一方、鍵の使用時、前記把手本体に設けた起動手段を介して前記キーブレードが浮き上がるのに追動してトリガー片が弾性部材の弾性力により位置変位し、該トリガー片に形成したロック部分が前記左右扉に形成した係合部分から外れると、前記左右扉は、前記支軸に設けた扉バネのバネ力により開放し、前記キーブレードは前記キー用凹所から出ていくことを特徴とする。
【発明の効果】
【０００７】
（ａ）鍵の不使用時、左右扉が閉じているので、キー用凹所１６に収納されたキーブレード２４は、外部に存在する固形物に物理的に接触して傷が付く恐れが全くない。またキー用凹所１６に異物が入り込むこともない。さらに、鍵はコンパクト型なので、ＩＣ、電子基板等を内蔵することができる。      
（ｂ）請求項２に記載の発明は、鍵の不使用時、左右扉が開放しない。一方、使用する際、起動手段を操作すると、キーブレードが浮き上がり、それに追動してトリガー片が弾性部材のバネ力により位置変位してトリガー片のロックが解かれ、それと共に左右扉はそれ自体の扉バネで開放するので、例えばキーブレードを出すのが容易である。つまり、操作性が良い。
（ｃ）請求項３に記載の発明は、窓状係合部が形成されているので、該窓状係合部の大きさ如何によって左右扉の開閉角度を決めることができる。
（ｄ）請求項４に記載の発明は、トリガー片に複数の機能を付与することによって、部品点数を減らすことができる。
（ｅ）請求項５に記載の発明は、弾性部材の一例として板バネを採用することによって、鍵のコンパクト性を可能な限り実現することができる。
（ｆ）請求項６に記載の発明は、左右扉を指で開く必要がない。またキーブレードの先端部を指で引き起こす必要もない。
（ｇ）請求項７に記載の発明は、キーブレードが自動的に鍵の使用位置まで回転するので、操作上、非常に便利である。
【図面の簡単な説明】
【０００８】
図１乃至図１６は本発明の一実施形態を示す各説明図。
【図１】携帯型鍵の全体を示す外観構成図（左右扉閉）。
【図２】左右扉が開きキーブレードが出てきた状態を示す斜視図。
【図３】携帯型鍵の起動手段及びスイング助勢機構全体を示す外観構成図（使用位置）。
【図４】図３における平面視（一部断面から説明図）。
【図５】把手本体を構成する蓋体の斜視図。
【図６】要部（操作ボタン）の説明図。
【図７】要部（レバーカム）の説明図。
【図８】操作ボタンをプッシュしたときの説明図。
【図９】（ａ）、（ｂ）、（ｃ）は操作ボタンとレバーカムとの摩擦係合を示す説明図。
【図１０】携帯型鍵の一端部の概略断面説明図。
【図１１】スイング助勢機構を構成する部材の説明図。
【図１２】主要部の一部概略断面説明図（図２の状態）。
【図１３】トリガー片の窓状係合部に弾性部材の自由端部が入り込んでいる説明図。
【図１４】キー本体のキーブレードの先端部の背面が板状のトリガー片の上端部に当接する説明図。
【図１５】（ａ）、（ｂ）、（ｃ）、（ｄ）は、主要部の作用の説明図（左右扉が開いてキーブレードが凹所から出て行く状態）。
【図１６】（ａ）、（ｂ）、（ｃ）、（ｄ）は、トリガー片と弾性部材の関係を示す説明図。
【発明を実施するための最良の形態】
【０００９】
図１ないし図１６を参照にして携帯型鍵Ｘの構成・作用を説明する。図１は携帯型鍵Ｘの全体を示す外観構成図、図２は左右扉が開いてキー本体２１のキーブレード２４が把手本体１のキー用凹所１６から出てきた状態を示す斜視図、図３は携帯型鍵Ｘの全体を示す外観構成図（キーブレード２４の使用位置）である。
【００１０】
本発明のコンパクト型携帯型鍵Ｘは、鍵の不使用時にはキー本体２１のキーブレード２４が把手本体１のキー用凹所１６に収納され、該キー用凹所に収納された前記キーブレード２４は、開閉蓋（カバー体）に相当する観音開き式の左右扉13で隠される。
【００１１】
図１はキー本体２１の筒状基端部２２の一部が見えるものの、キーブレード２４は把手本体１の中央部に開閉自在に設けられた左右扉１３に覆われており、実施形態では、キーブレード２４の表面は、望ましくは全部が見えない。したがって、キーブレード２４は外部に存在する固形物に物理的に接触して傷が付く恐れが全くないし、またキー用凹所１６に異物が入り込むこともない。
【００１２】
把手本体１の一端部の垂直側壁（図１では手前の側壁）には、起動手段を構成する操作ボタン５０が組み込まれている。該操作ボタン５０の円形状操作部５０ａは、前記垂直側壁から若干突出しているが、該円形状操作部５０ａをプッシュすると、図２で示すように、左右扉１３は観音開き状態となり、キーブレード２４は把手本体１のキー用凹所１６から浮き上がるように現れてくる。この時、携帯型鍵Ｘの一端部（把手本体１及びキー本体２１の筒状基端部２２）に組み込まれたスイング助勢機構Ｙの助勢力により、キーブレード２４は、図３で示す略水平状態の使用位置まで回転する。
【００１３】
本発明は、起動手段５０、４０の起動時に、例えば図８で示すようにキー本体２１の筒状基端部２２が、操作ボタン５０と共に起動手段を構成するレバーカム４０の持ち上げ部分４０ｄを介して、かつ携帯型鍵Ｘの一端部に設けたトルク機構（例えばカム部材、バネ部材、ダンパー部材等）の付勢力に抗して所定角度まで持ち上げられる。そして、筒状基端部２２（回転部材３０，３３も含む）が回転しながら所定角度（例えば３０度）を過ぎると、キーブレード２４は、スイング助勢機構Ｙの助勢力により使用位置まで自動的に回転する。
【００１４】
また本発明では、鍵の不使用時、把手本体１の一端部にその筒状基端部２２が少なくとも支持軸３１を介して回転自在に設けられたキー本体２１のキーブレード２４を把手本体１のキー用凹所１６に収納した状態で、該キーブレード２４を全体的にカバーする左右扉１３が閉じることが発明の特定事項であることから、鍵の不使用時、前記左右扉１３は自由に開かないように規制することが望ましい。
【００１５】
そのために、実施形態では、左右扉１３の閉鎖状態を保持するためのトリガー片６０を含むロック手段（例えば左右扉に設けた係合部分１３ｄとトリガー片６０に設けたロック部分６０ｃ）が設けられている。このロック手段に関しては、例えば携帯電話や携帯端末の蓋体を閉止位置に保つオス・メス係合手段等の公知の構成を任意に採用することができるが、実施形態では、把手本体１の他端部に上下方向にスライド自在に設けられたロック機能を有するトリガー片６０が採用されている。
【００１６】
すなわち、鍵の使用時、キーブレード２４が浮き上がるのに追動して把手本体１内に組み込んだトリガー片６０が弾性部材の一例としての板バネ６２の弾性力（弾発力）により上方向へと位置変位して左右扉１３の基端部側の内端部に形成した係合部分（例えば係合爪）１３ｄ、１３ｄからトリガー片６０の上端部に形成したロック部分（例えば水平板の両端部）６０ｃ、６０ｃから外れると、左右扉１３は、左右一対の支軸１２に設けた左右一対の扉バネ１４のバネ力により自動開放し、前記キーブレード２４は把手本体１の一側表面に形成したキー用凹所１６から浮き上がるように出てくる（特徴事項）。
【００１７】
この時、キー本体２１は把手本体１に設けた起動手段５０、４０の起動力によりトルク機構の一例であるカム部材のトルクに抗して所定角度まで回転し、以後は、前記カム部材のトルクにより使用位置まで自動回転する。
【００１８】
図１２及び図１３で示すように、把手本体１の内部に配設された弾性部材６２は、その取付け基端部６２ａが把手本体１の他端部に固定され、一方、その自由端部６２ｂは把手本体１に設けた垂直方向の案内部分１９に案内されるトリガー片６０の下端部６０ａの窓状係合部６１に係合し、把手本体１のキー用凹所１６にキーブレード２４を収納した初期位置では、左右扉１３を閉鎖状態にロックしているトリガー片６０を、ロックを解く方向に常時付勢している(図１６参照)。
【００１９】
そこで、本明細書では、まず、図１乃至図５を参照にして携帯型鍵Ｘの把手本体１の全体的な構成を説明し、次に、図６乃至図９を参照にして把手本体１の一端部に設けられ、キー本体２１の筒状基端部２２を所定角度まで起こすための操作ボタン５０を含む起動手段について説明し、さらに、図１０及び図１１を参照にして把手本体１の一端部に設けられ、かつ、キーブレード２４を使用位置へと回転させるスイング助勢機構Ｙについて説明、最後に図１２乃至図１６を参照にして本発明の主要部である左右扉１３の開閉機構について説明する。
【００２０】
まず、図１乃至図５に於いて、携帯型鍵Ｘは化粧品のようなコンパクト型の形態で、この携帯型鍵Ｘは、把手本体１と、該把手本体１の一端部に少なくとも支持軸３１を介して所定範囲内で回転自在に設けられたキー本体２１とから構成されている。
【００２１】
把手本体１は、「トランスポータ」と称されるＩＣチップ等を内蔵可能なケース状のベース体２（図１の下方）と、このベース体２の一側面に重ね合わせるように嵌合し、かつ、複数個の図示しない固着具を介して合体するケース状の蓋体４（上方の収納ケース、図５）とから成る。
【００２２】
一方、キー本体２１の詳細な説明は割愛するが、例えば図３で示すように、把手本体１の一端部に回転自在に設けられた筒状基端部２２と、この筒状基端部２２の扁平ケース状の収納部分２３に幅広基端部が嵌合固定された長板状のキーブレード２４とから構成されている。
【００２３】
ここで、図5を参照にしてベース体の構成を説明する。６は一端部の中央部に形成された支持切欠で、該支持切欠６には、キー本体２１の筒状基端部２２の下側半分が位置する。この支持切欠６は一端（先端面）２ａから他端（後端面）２ｂの方向にかけて、かつ所定幅で横Ｌ型状に形成されている。７は一端部の左側端部に前記横Ｌ型状支持切欠６に連通するように形成された支持凹所で、この支持凹所７にはスイング助勢機構（以下、「助勢機構」という）Ｙを構成する固定カム３４が収納される。この支持凹所７は横Ｌ型状支持切欠６よりも小さく、前記固定カム３４の大きさに対応して形成されている。
【００２４】
一方、９は一端部の右側端部に垂直の支持壁８を介して形成された半円弧状の凹所で、この半円弧状凹所９には、起動手段を構成する操作ボタン及びレバーカム４０の一部が収納される。詳細な図面は割愛するが、前記支持壁８の上端部は助勢機構を構成するレバーカムの円筒部分を支持するので、半円弧状に切欠されている。
【００２５】
１０はレバーカム用の平面視Ｌ形状のカム凹所で、該カム凹所１０は前述した半円弧状凹所９に連通している。また、半円弧状凹所９の弧状面の中央部には、カム凹所１０に連通する図示しないガイド小溝が形成されている。
【００２６】
実施形態では、例えば図３で示すようにベース体２の先端面２ａの一端部（先端部）に、操作ボタン用の半円弧状凹所９及び操作ボタン用ガイド小溝、レバーカム用のカム凹所１０及びレバーカムを支持する支持壁８、キー本体の筒状基端部２２用の支持切欠６、助勢機構を構成する固定カム３４用の支持凹所７が連通状態に形成されている。さらに、ベース体２の上面には、複数（例えば４個）の固着具用の不番のネジ穴が形成されている。
【００２７】
次に図５を参照にして蓋体（一方のケース体）４を説明する。前述したように把手本体１は、ベース体２と、該ベース体に固着具を介して取外し可能に合体する蓋体４とから成る。
【００２８】
しかして、４ａは蓋体４の先端面、４ｂは後端面、４ｃは下面、４ｄは上面である。前記先端面４ａ側の一端部には、ベース体２と同様に支持切欠６と対向する基端部用切欠６Ａ、固定カム用の下向き支持凹所７Ａ、操作ボタン用の下向き半円弧状凹所９Ａ及び操作ボタン用ガイド小溝がそれぞれ形成されている。
【００２９】
また筒状基端部用切欠６Ａの奥には、段差状の板状受け部分１５が形成され、該板状受け部分１５の上面は、キーブレードの基端部を支持する。また板状受け部分１５の後端から長手方向の他端部（実施形態では後端面）４ｂにかけてキー用凹所１６が形成されている。
【００３０】
さらに、該キー用凹所１６の上端部の内側に所定間隔を有して左右の軸受部１１が設けられ、これらの軸受部１１には細長い棒状の左右支軸１２、１２を介して左右扉１３、１３が開閉自在に設けられている。左右扉１３、１３は前記左右支軸１２、１２に設けられた左右一対の扉バネ１４、１４のバネ力により開放可能である。
そして、キー用凹所１６の底壁１７には、後述するトリガー片６０用の案内切欠１８が形成されていると共に、該案内切欠１８と垂直線方向に案内溝を有する左右一対の案内部分１９が設けられている（図１２参照）。
【００３１】
なお、図５では、説明の便宜上、一方の部材（鍵の一端部を正面にした場合には左側）のみ図示し、他方の部材（右支軸１２、右扉１３など）を省略している。
【００３２】
しかして、前記左扉１３は、支軸１２が貫通する前後方向の複数のパイプ状基端部１３ａ、１３ｂと、これら前後の基端部１３ａ、１３ｂに連設する長板状カバー１３ｃと、前記基端部１３ａ、１３ｂの内、蓋体の後端部側の基端部１３ｂの後端部に内側方向へ弧状に突設する係合爪１３ｄとから成る（右扉も同様）。
【００３３】
そして、蓋体の先端部側の基端部１３ａと後端部側の基端部１３ｂとの間には不番の間隙が設けられ、該間隙に露呈する支軸１２の略中央部には扉バネ１４の中央部が巻装されている。ところで、扉バネ１４の一端部は長板状カバー１３ｂの内面に圧接し、一方、他端部はキー用凹所１６の内壁面に圧接し、左扉１３を常時開く方向へ付勢する（図１５参照）。
【００３４】
このように、実施形態では、左右一対の支軸１２を介して観音開き式の左右扉１３を設け、この左右扉１３は、鍵の不使用時、把手本体１の一端部にその筒状基端部２２が支持軸３１を介して回転自在に設けられたキー本体２１のキーブレード２４をキー用凹所１６に全て収納した状態で閉じる。
【００３５】
次に、図６乃至図９を参照にして操作ボタン５０を含む起動手段について説明する。図６は操作ボタン５０を内側から見た斜視図である。図６に於いて、５０ａは指用の円形状操作部で、例えば図１で示すように把手本体１の垂直側壁から多少突出状態に露呈している。５０ｂは前記円形状操作部の内面に連設形成された短筒状のバネ収納部で、この短筒状バネ収納部５０ｂには、図４で示すように復帰バネ５１が組み込まれる。復帰バネ５１の一端部は操作ボタン５０に収納され、一方、他端部は図７のレバーカム４０に支持される。５０ｃは短筒状バネ収納部５０ｂの外面に連設形成された複数個のガイド突起で、これらのガイド突起５０ｃは把手本体１の図示しないガイド小溝に案内される。
【００３６】
したがって、操作ボタン５０をレバーカム４０の方向へプッシュすると、操作ボタン５０は復帰バネ５１のバネ力に抗して、例えば上下のガイド突起５０ｃを介して直線移動可能である。さらに、短筒状バネ収納部５０ｂの外面には、周方向に所定間隔を有して複数個（３個）の受け入れ溝５０ｄが形成され、これらの受け入れ溝５０ｄは軸方向にプッシュされた操作ボタン５０の各突起部分をそれぞれ受け入れることができる。さらに５０ｅは前記受け入れ溝５０ｄを形成する少なくとも一つの突起部分で、これらの突起部分５０ｅの一つの先端縁部（押圧部分）５２は、これに対応するレバーカム４０の一つの傾斜状受け面５３と摩擦係合する。
【００３７】
次に、図７はレバーカム４０を外側から見た斜視図である。このレバーカム４０は、操作ボタン５０が復帰バネ５１のバネ力に抗して接近して来ると、操作ボタン５０の押圧部分（押圧縁部）５２によって該レバーカム４０に設けた一つの突起部分４０ｃの受け面５３を介して押し上げられる。その結果、レバーカム４０は支持軸３１の一端部に支持された状態で所定角度まで回転可能である。
【００３８】
しかして、レバーカム４０は、図７で示すように靴べら形状の垂直ベース板４０ａと、この垂直ベース板４０ａの外壁面の幅広基端部の中央部に突出形成された筒状軸部４０ｂと、この筒状軸部４０ｂに対して同心円状に突出形成された合計３個の爪状突起部分４０ｃと、垂直ベース板４０ａの先細り状自由端部の内壁面に突出形成された持ち上げ部分４０ｄとから成り、前記爪状突起部分４０ｃの少なくとも一つは、前述した操作ボタン５０の押圧部分（押圧縁部）５２と摩擦係合する傾斜状受け面５３と成っている。
【００３９】
図８は操作ボタン５０を矢印方向へ押圧し、これによりレバーカム４０が矢印方向へ所定角度まで回転してキー本体２１の基端部を持ち上げた状態の説明図である。図９の（ａ）、（ｂ）、（ｃ）は、操作ボタン５０とレバーカム４０との摩擦係合を示す説明図である。この時、キー本体２１は、その筒状基端部２２内に設けた可動カム３３の復帰力に抗して持ち上げられる。
【００４０】
次に、図１０及び図１１を参照にして助勢機構Ｙについて説明する。前述したように、把手本体１の一端部には、キーブレード２４を使用位置へと回転させる助勢機構Ｙが設けられ、該助勢機構Ｙは、駆動バネ３２と、該駆動バネに付勢されかつ凹凸のカム面３３ａを有する可動カム３３と、その固定側凹凸のカム面３４ａが前記可動カム３３の凹凸のカム面３３ａにかみ合う固定カム３４とを備え、これらの各部材は、軸方向に一連に組み込まれている。実施形態では、図１０で示すように、助勢機構Ｙは、例えば収納筒３０に駆動バネ３２と、可動カム３３が組み込まれ、一方、固定カム３４の一端部は把手本体１の凹所７，７Ａに組み込まれている。
【００４１】
図１１で示す可動カム３３と固定カム３４の具体的構成の説明は割愛するが、図１０で示すように、長杆状の支持軸３１の中央部には、可動カム３３が駆動バネ３２に固定カム３４の固定カム３４の頂点付近に圧接するように常時付勢された状態で外嵌合し、支持軸３１の他端部は、その外周面が非真円形状（例えばトラック形状）の固定カム３４が不番軸孔を介して外嵌合している。したがって、本実施形態では、駆動バネ３２の駆動力及可動カム３３の圧接力により、キー本体２１がレバーカム４０の持ち上げ部分４０ｄで所定角度まで持ち上げられ（図８参照）、かつ、前記固定側凹凸のカム面３４ａの頂点を乗り越えると、助勢機構Ｙの助勢力により、キー本体２１は図３で示すように使用する位置方向に回転する。
【００４２】
最後に図１２乃至図１６を参照にして本発明の主要部である左右扉の開閉機構Ｚについて説明する。まず図１２に於いて、１７はキー用凹所１６を形成する蓋体４の底壁で、この底壁１７の先端部には左右方向に該キー用凹所１６に連通する案内切欠１８が形成されている。１９は前記底壁１７の背面に突出形成された左右一対の握り型案内部分で、これらの握り型案内部分１９、１９の対向端面の間は、板バネ６２の自由端部を案内することができる間隙６４が設けられている。握り型案内部分１９、１９及び前記案内切欠１８は、図１３及び図１４に示す板状のトリガー片６０の垂直板状の下端部６０ａを案内する。
【００４３】
しかして、前記板状トリガー片６０は、前記下端部分（胸部）６０ａと、該下端部分の上端縁から蓋体４の先端面方向へ傾斜状に連設する中間部分（首部）６０ｂと、この中間部分の上端縁から略水平状態に連設するロック部分（水平頭部）６０ｃとから成り、前記下端部分６０ａには矩形状の窓状係合部６１が形成されている。
【００４４】
６２は、その取付け基端部６２ａが複数個の固着具６３を介して蓋体４の底壁１７の背面に固定された弾性部材で、実施形態では、板バネ６２が採用されている。この板バネ６２の自由端部６２ｂは、トリガー片６０の前記窓状係合部６１を形成する上端係止縁６１ａと下端係止縁６１ｂに選択的に係脱可能であると共に、左右扉１３が所要量開放したとき、該左右扉１３が開き過ぎないように蓋体４の底壁１７の背面に当接可能である。
【００４５】
また図１４で示すようにトリガー片６０のロック部分（水平頭部）６０ｃは、その上面がキー用凹所１６に収納時（左右扉１３の閉鎖時）に於いて、キーブレード２４の先端部２４ａの背面に押し付けられる受け部分としての機能を有し、またその両端部はロック部分としての機能を有する。
【００４６】
最後に、図１５及び図１６を参照にして、左右扉の開閉装置Ｚの作用について説明する。なお、助勢機構Ｙの詳細な作用説明は割愛する。
【００４７】
図１５の（ａ）は、鍵不使用時の状態を示している。つまり、キーブレード２４が左右扉に完全に覆われている状態である。ここでは、これを初期位置とする。初期位置では、把手本体１のキーブレード２４がキー用凹所１６に収納され、かつ左右扉１３が閉じている。左右扉１３の閉鎖時、左右扉１３の爪状係合部分１３ｄ、１３ｄの間にトリガー片６０の水平板状のロック部分６０ｃが入り込んでいる。左右扉１３は、その扉バネ１４で開く方向に付勢されているが、トリガー片６０の水平板状ロック部分６０ｃの両端部が邪魔をしているので開かない。
【００４８】
また、キーブレード２４の先端部２４ａの背面は、前記水平板状ロック部分６０ｃの上面を押し付けている。その理由は、キー本体の筒状基端部２２に組み込んだ固定カムと可動カムを含むトルク機構の復帰力がトリガー片の方向に作用しているからである。
【００４９】
図１６の（ａ）は、初期位置における板バネ６２の状態を示す。前述したように、トリガー片６０はキーブレード２４の先端部２４ａの背面に押されかつ板バネ６２のバネ力に抗して、しかも左右の握り型案内部分１９に案内されながら下方へと下降し、左右扉１３が閉じた所で停止する。
【００５０】
付言すると、図１５の（ａ）の状態に成る場合には、トリガー片６０は、ダンパー機構、バネ機構、トルク機構（実施形態）等の復帰力でキー用凹所１６内に吸い込まれる如く入り込んで来るキーブレード２４の先端部２４ａに押し付けられて下降するので、トリガー片６０の窓状係合部６１の上端係止縁６１ａに自由端部６２ｂが係合する板バネ６２は反るように弾性変位する。したがって、板バネ６２は、把手本体１のキー用凹所１６にキーブレード２４を収納した初期位置では、左右扉１３を閉鎖状態にロックしているトリガー片６０を、ロックを解く方向に常時付勢している。
【００５１】
また、左右扉１３が扉バネ１４のバネ力に抗して閉じる理由は、左右扉１３の爪状係合部分１３ｄに支持されている水平板状ロック部分６０ｃの両端部が、トリガー片６０の下降時に前記爪状係合部分１３ｄを押し付けながら摩擦係合するからである。
【００５２】
図１５の（ｂ）は、（ａ）の鍵不使用時の状態から鍵の使用時に操作ポタンをプッシュした場合に於いて、キーブレード２４の先端部２４ａが可動カムの復帰力に抗して浮き上がり、これに追動してトリガー片６０が板バネ６２の弾性変位復帰力により、矢印で示す上方方向へ位置変位し、その水平板状のロック部分６０ｃが左右扉１３の爪状係合部分１３ｄ、１３ｄから外れ、これに起因して左右扉１３自体が扉バネ１４のバネ力により矢印で示す方向に開き始めた状態を示す。図１６の（ｂ）は、前記図１５の（ｂ）に対応する板バネ６２とトリガー片６０の状態を示す。板バネ６２は弾性変位復帰すると水平状態となる。付言すると、トリガー片６０は板バネ６２によって上昇するが、それ以上は板バネ６２のバネ力によっては上昇しない。
【００５３】
そこで、図１５の（ｃ）及び図１６の（ｃ）は、トリガー片６０が扉バネ１４で開く方向に回転する左右扉１３の爪状係合部分１３ｄに持ち上げられることを示す。扉バネ１４の力でトリガー片６０がさらに上方へと位置変位すると、板バネ６２の自由端部６２ｂは、トリガー片６０の窓状係合部６１の上端係止縁６１ａから離れる。
【００５４】
最後に図１５の（ｄ）及び図１６の（ｄ）は、トリガー片６０が扉バネ１４で左右の支軸を支点に開放する左右扉１３の開放量に対応して上昇してきた時に、板バネ６２の自由端部６２ｂの上面が蓋体の底壁１７の背面に当接すると共に、自由端部６２ｂの下面が窓状係合部６１の下端係止縁６１ｂに当接し、左右扉１３の開放を止めた状態である。実施形態では、窓状係合部６１の上下方向の幅は、キーブレード２４の先端部２４ａが出て行く幅に設定されている。
【実施例】
【００５５】
本実施形態では、キー本体の基端部は筒状に形成され、該筒状基端部に可動筒を組み込み、該可動筒にトルク機構を構成する駆動バネ、可動カム等を内装し、かつ、支持軸を介して可動筒及び筒状基端部が一緒に回転するように構成しているが、トルク機構を構成する固定カム、可動カム、駆動バネは一例であるから、例えば操作ボタン(起動手段)によってキー本体を回転させる機構や手段は、バネ部材やダンパー機構等により、適宜に設計変更することができる。
【００５６】
なお、本発明の限定要件ではないが、携帯型鍵Ｘは、例えば少なくとも一方がケース状のベース体２と、このベース体２の一側面に重ね合わせるように結合し、かつ、複数個の固着具を介して合体する板状の蓋体４とから成るので、ベース体２又は蓋体４のいずれかにＩＣチップを設けることができる。
【００５７】
したがって、ＩＣチップ内蔵の携帯型鍵Ｘは、電気錠用制御手段との間で識別情報を送信するための非接触型電気錠システムの構成要件として利用することもできる。
【産業上の利用可能性】
【００５８】
本発明は、建物の扉、家具、自動車等の錠前を施・解錠するに使用することができる。
【符号の説明】
【００５９】
Ｘ…携帯型鍵、Ｙ…スイング助勢機構、Ｚ…左右扉の開閉機構、１…把手本体、２…ベース体、４…蓋体、１１…軸受け、１２…支軸、１３…左右扉、１４…扉バネ、１３ｄ…係合部分（係合爪）、１６…キー用凹所、１７…底壁、１８…案内切欠、１９…案内部分、２４…キーブレード、２４ａ…先端部、３１…支持軸、３３…可動カム、３３ａ…可動カムの凹凸のカム面、３４…固定カム、３４ａ…固定側凹凸のカム面、５０…操作ボタン、５１…復帰バネ、５２…押圧部分、５３…受け面、２１…キー本体、３２…駆動バネ、４０…レバーカム、４０ｄ…持ち上げ部分、６０…トリガー片、６０ｃ…ロック部分、６２…弾性部材、６１…窓状係合部、６１ａ…上端係止縁、６１ｂ…下端係止縁、６２…弾性部材、６２ｂ…自由端部。
【図１】
0005917186.tif 000002
【図２】
0005917186.tif 000003
【図３】
0005917186.tif 000004
【図４】
0005917186.tif 000005
【図５】
0005917186.tif 000006
【図６】
0005917186.tif 000007
【図７】
0005917186.tif 000008
【図８】
0005917186.tif 000009
【図９】
0005917186.tif 000010
【図１０】
0005917186.tif 000011
【図１１】
0005917186.tif 000012
【図１２】
0005917186.tif 000013
【図１３】
0005917186.tif 000014
【図１４】
0005917186.tif 000015
【図１５】
0005917186.tif 000016
【図１６】
0005917186.tif 000017